(57)【要約】【課題】ＰＤＰで輝度向上等を実現する。【解決手段】本ＰＤＰ１０は、誘電体層３においてセル毎にレンズ５０の形状を有し、レンズ５０は、セルの放電領域４１に対して凸の曲面を持つ平凸レンズ状であり、レンズ５０の焦点（Ｆ１，Ｆ２）は、本パネルの外部に位置する。例えば、レンズ５０の曲率半径が１ｍｍ以上であり、レンズ５０の最厚部の厚みが１１μｍ以下である。誘電体層３は、第１の誘電体（ベタ層）と、その上にレンズ５０として形成される第２の誘電体とからなる。【選択図】図４
2009158284.tif 000002
【特許請求の範囲】
【請求項１】
前面側の第１の基板構造体と背面側の第２の基板構造体とにより、隔壁により区画される放電空間及びセル群が形成されるプラズマディスプレイパネルであって、
前記第１の基板構造体の誘電体層においてセル毎にレンズの形状を有し、
前記レンズは、前記セルの放電領域に対して凸の曲面を持つ平凸レンズ状であり、
前記レンズの焦点は、本パネルの外部に位置すること、を特徴とするプラズマディスプレイパネル。
【請求項２】
請求項１記載のプラズマディスプレイパネルにおいて、
前記レンズの曲率半径が１ｍｍ以上であること、を特徴とするプラズマディスプレイパネル。
【請求項３】
請求項１記載のプラズマディスプレイパネルにおいて、
前記レンズの最厚部の厚みが１１μｍ以下であること、を特徴とするプラズマディスプレイパネル。
【請求項４】
請求項１記載のプラズマディスプレイパネルにおいて、
前記セルの外周部に重なる前記レンズの外周部では曲率が相対的に小さく、前記セルの中央部に重なる前記レンズの中央部では曲率が相対的に大きいこと、を特徴とするプラズマディスプレイパネル。
【請求項５】
請求項４記載のプラズマディスプレイパネルにおいて、
前記セルの中央部に重なる前記レンズの中央部の曲率半径が１ｍｍ以上であること、を特徴とするプラズマディスプレイパネル。
【請求項６】
請求項１記載のプラズマディスプレイパネルにおいて、
前記第１の基板構造体において、前記セルの外周部及び前記レンズの外周部に重なるように光反射層を有し、
前記光反射層の上側に光吸収層を有すること、を特徴とするプラズマディスプレイパネル。
【請求項７】
請求項１記載のプラズマディスプレイパネルにおいて、
前記誘電体層は、ガラス基板及び電極群上にベタ層として形成される第１の誘電体と、前記第１の誘電体上に膨らんで前記レンズとして形成される第２の誘電体とからなること、を特徴とするプラズマディスプレイパネル。
【請求項８】
前面側の第１の基板構造体と背面側の第２の基板構造体とにより放電空間及びセル群が形成されるプラズマディスプレイパネルであって、
前記第１の基板構造体の誘電体層においてセル毎にレンズの形状を有し、
前記レンズは、前記セルの放電領域に対して凸の曲面を持つ平凸レンズ状であり、
前記セル内に形成されている蛍光体は、表面が半球状を有し、
前記レンズの凸側の焦点は、前記蛍光体の半球状の中心に重なる位置であること、を特徴とするプラズマディスプレイパネル。
【請求項９】
請求項８記載のプラズマディスプレイパネルにおいて、
前記セルの隔壁は、側面に半球状を有すること、を特徴とするプラズマディスプレイパネル。
【請求項１０】
前面側の第１の基板構造体と背面側の第２の基板構造体とにより放電空間及びセル群が形成されるプラズマディスプレイパネルであって、
前記第１の基板構造体の誘電体層は第１の誘電体層と前記第１の誘電体層を覆うように形成される第２の誘電体層から成り、
前記第１の誘電体層と前記第２の誘電体層によってセル毎に複数のレンズの形状を有し、
前記複数のレンズは、前記セルの放電領域に対して平らで前記誘電体層内部に対して凸の曲面を持つ平凸レンズ状であり、
前記第２の誘電体層の屈折率は前記第１の誘電体層の屈折率よりも大きいこと、を特徴とするプラズマディスプレイパネル。
【請求項１１】
前面側の第１の基板構造体と背面側の第２の基板構造体とにより放電空間及びセル群が形成されるプラズマディスプレイパネルであって、
前記第１の基板構造体の誘電体層は第１の誘電体層と前記第１の誘電体層を覆うように形成される第２の誘電体層から成り、
前記第１の誘電体層と前記第２の誘電体層によってセル毎に複数のレンズの形状を有し、
前記複数のレンズは、前記セルの放電領域に対して平らで前記誘電体層内部に対して三角形状を持ち、
前記第２の誘電体層の屈折率は前記第２の誘電体層の屈折率よりも大きいこと、を特徴とするプラズマディスプレイパネル。
【発明の詳細な説明】
【技術分野】
【０００１】
本発明は、プラズマディスプレイパネル（ＰＤＰ）の技術に関し、特に、セル構造及び輝度向上などに関する。
【背景技術】
【０００２】
明るく低消費電力のプラズマＴＶの実現のためには、ＰＤＰの輝度向上が必須の課題である。また、薄型ＰＤＰの実現のためには、放熱の少ない低消費電力のＰＤＰの実現が鍵を握る。
【０００３】
従来技術例として、特開２００７−１２８７７５号公報（特許文献１）には、パネルに、光を集光するレンズ様の構造を設ける例が記載されている。その他、特開平１０−２１４５６７号公報（特許文献２）、特開２００５−３０２７１６号公報（特許文献３）、特開２００５−３０２７２０号公報（特許文献４）などがある。
【特許文献１】特開２００７−１２８７７５号公報
【特許文献２】特開平１０−２１４５６７号公報
【特許文献３】特開２００５−３０２７１６号公報
【特許文献４】特開２００５−３０２７２０号公報
【発明の開示】
【発明が解決しようとする課題】
【０００４】
ＰＤＰの基本的な課題として、輝度向上、低消費電力化などがある。従来技術例では、レンズ様の構造を設ける例（特許文献１）があるが、レンズ形状（焦点等の特性）や、蛍光体または隔壁の形状などを考慮して、十分な明るさ向上等の効果が得られる例はみられない。また特許文献１の例では、レンズ形状における焦点距離などが考慮されていないので、それを考慮しないと十分な効果は得られないどころか、逆に集光性を弱めるといったことにもなりかねない。また複数の円筒形レンズを設け、光を集光させる例（特許文献３、特許文献４）があるが、レンズの屈折率などが考慮されていないので、それを考慮しないと十分な効果は得られないどころか、逆に光の指向性を弱めるといったことにもなりかねない。
【０００５】
本発明は以上のような問題に鑑みてなされたものであり、その主な目的は、輝度向上等を実現できるＰＤＰの技術を提供することである。
【課題を解決するための手段】
【０００６】
本願において開示される発明のうち、代表的なものの概要を簡単に説明すれば、次のとおりである。前記目的を達成するために、本発明の代表的な実施の形態は、ＰＤＰの技術であって、以下に示す構成を有することを特徴とする。
【０００７】
本ＰＤＰは、前面側の第１の基板構造体と背面側の第２の基板構造体とにより放電空間及びセル群が形成され、第１の基板構造体の誘電体層においてセル毎にレンズの形状を有し、レンズは、セルの放電領域に対して凸の曲面を持つ平凸レンズ状であり、レンズの焦点は、本パネルの外部に位置することを特徴とする。
【０００８】
本形態では、パネルのセル（放電セル）からの発光がパネル正面に集光されて出てくるように光の指向性を高め、正面の輝度を高めることができる。本形態では、誘電体層に、セル毎に、所定の特性を持つレンズ形状を設ける。このレンズの特性により、セルの放電発光（蛍光体発光）を、パネルの前面（正面）側の外部に集光させる。このレンズは、例えば、第１の基板構造体の第１の誘電体（ベタ層）上に、第２の誘電体として平凸レンズ状として形成される。本形態として例えば以下を有する。
【０００９】
曲率半径及び屈折率等により決まるレンズの焦点がパネルの外側になるように設計される。これにより、光の集光性を高め、正面の輝度を高める。またレンズの曲率半径が１ｍｍ以上であることにより、光の集光性を高めることができる。
【００１０】
特に、第２の誘電体（レンズ）において、セルの外周部と対応する外周部が球面に近い曲率であり、中心部が外周部よりも大きな曲率を持つ構造とする。これにより、セルの外周部の光を効率的に集光して利用できる。さらにレンズの中心部の曲率半径が１ｍｍ以上であると、特に効果的である。
【００１１】
更に、上記構成に加え、第１の基板構造体において、セルの外周部（隔壁近傍）を覆うように、光反射層（セル外周部の光を反射してセル内部側へ戻す膜）と光吸収層（パネル前面からの外光を吸収等する膜）が形成される。これにより、前面への光の指向性が高まり、明室コントラストを向上できる。
【００１２】
また、セルの蛍光体や隔壁の形状（表面形状）を半球状にする。この半球状の蛍光体の中心に焦点を合わせるようにレンズが形成される。これにより、光の指向性を高めることができる。
【００１３】
また、セルに対し複数のレンズを含む誘電体を形成する構成とする。第２の誘電体のレンズの屈折率を、第１の誘電体よりも高める。これにより、集光性を高めることができる。複数のレンズの形状は、放電領域に対して平らで前面側に凸となる平凸レンズ形状や、前面側に尖る三角形状とする。
【発明の効果】
【００１４】
本願において開示される発明のうち、代表的なものによって得られる効果を簡単に説明すれば以下のとおりである。本発明の代表的な実施の形態によれば、ＰＤＰにおいて輝度向上等を実現できる。特に、セルから放出される光をパネル正面方向に効率よく集光でき（光の指向性を高め）、正面方向の輝度を高めることができる。例えば、従来に比べて、正面の明るさを１．５倍程高めることができる。また正面の明るさの向上により、光の利用効率が増大するため、その分電力を低減することもできる。これにより、明るく低消費電力なプラズマＴＶや、超薄型ＰＤＰが実現できる。
【発明を実施するための最良の形態】
【００１５】
以下、本発明の実施の形態を図面に基づいて詳細に説明する。なお、実施の形態を説明するための全図において、同一部には原則として同一符号を付し、その繰り返しの説明は省略する。なお説明のため、ｘ方向（第１方向、画面内の横方向（表示ライン方向））、ｙ方向（第２方向、画面内の縦方向（表示列方向））、ｚ方向（第３方向、パネル画面垂直方向（正面方向））を有する。
【００１６】
（実施の形態１）
図１〜図５を用いて、本発明の実施の形態１（構成１Ａ）のＰＤＰ１０を説明する。実施の形態１は、セル毎に平凸レンズ状に誘電体を設ける構成である。
【００１７】
図１において、本ＰＤＰ（パネル）１０の分解斜視構造を示している。本ＰＤＰ１０は、基本構造例として、面放電・交流駆動型、三電極型（維持放電電極２（Ｘ電極とＹ電極）及びアドレス電極６）、ボックスリブ型（縦リブ８Ａ及び横リブ８Ｂ）などの構成である。
【００１８】
特徴として、第１構造体（前面基板構造体）１１側の誘電体層３において、セル毎に当該誘電体をレンズ５０様（形状）に膨らませた構造を有する。
【００１９】
図２において、図１の断面Ｈ１−Ｈ１’（ｘ−ｚ面）を示している。なお従来構造では第２の誘電体３２が存在しない。第１構造体１１において、前面板（ガラス基板）１上に、維持放電電極２群がｘ方向に形成され、それらを覆うように誘電体層３が形成されている。維持放電電極２は、例えば金属バス電極と透明電極とから成る。さらに誘電体層３を覆うように保護層４が形成されている。また、第２構造体１２において、背面板（ガラス基板）５上に、アドレス電極６群がｙ方向に形成され、それらを覆うように誘電体層（第３の誘電体）７が形成されている。誘電体層７上には、セル（放電領域４１）群の区画に対応して、ｙ方向の隔壁（縦リブ）８Ａ、及びｘ方向の隔壁（横リブ）８Ｂが形成され、隔壁間には、赤（Ｒ），緑（Ｇ），青（Ｂ）の各色の蛍光体９（９Ｒ，９Ｇ，９Ｂ）が形成されている。蛍光体９は、例えば、誘電体層７の上面（放電領域４１の底面）と、隔壁８Ａ（放電領域４１）の側面とに形成されている。
【００２０】
誘電体層３は、第１の誘電体３１（ベタ層）と第２の誘電体（レンズ５０による層）３２とから成る。第２の誘電体３２において、セル毎のレンズ５０が構成される。第１の誘電体３１上に、第２の誘電体３２（レンズ５０）が形成される。レンズ５０は、放電空間（基板間領域）４０における放電領域４１側に凸部（曲面）が向く平凸レンズ状である。Ｆ（×印）は、レンズ５０の焦点を示す。レンズ５０の形状（特性）は、焦点（Ｆ）（平ら側）がパネル１０外部の位置、即ちガラス基板１よりも外側になるように設計されている。
【００２１】
図３において、図１の断面Ｖ１−Ｖ１’（ｙ−ｚ面）を示している。維持放電電極２は、Ｘ電極（Ｘで示す）とＹ電極（Ｙで示す）の対を有し、例えばこれらがセル及びレンズ５０の外周部付近、即ち横リブ８Ｂよりも少し内側の位置に配置されている。
【００２２】
図４において、上記セル単位におけるレンズ５０の特性をｙ−ｚ方向の断面で示している。ａはレンズ５０を通る光線例を示している。レンズ５０の焦点（Ｆ）として、Ｆ１は平ら側（前面側）、Ｆ２は凸側（背面側）の焦点である。レンズ５０の焦点（Ｆ）の特性は、下記の式（１）で示せる。ｆ：焦点距離、Ｒ：レンズ５０の曲率半径、ｎ：誘電体の屈折率（１．５〜２．０）である。
【００２３】
ｆ＝Ｒ／（ｎ−１）      ・・・（１）
一般的な誘電体の屈折率は、材料により多少異なるが、Ｂ２Ｏ３，ＳｉＯ２，Ａｌ２Ｏ３，ＰｂＯ，ＺｎＯ，ＢａＯ，Ｎａ２Ｏ，Ｋ２Ｏ，ＣａＯなどを含む材料（一部含む材料）で形成され、屈折率（ｎ）は１．５〜２．０の間である。
【００２４】
このとき、本特徴構成としては、レンズ５０（第２の誘電体３２）の焦点（Ｆ）が、パネル１０の外側に位置するように、レンズ５０の曲率半径Ｒを決定する。即ち、例えば、ｆを２ｍｍ以上とすると、ｎ＝１．５のとき、Ｒが１ｍｍ以上となる。よって、少なくともＲが１ｍｍ以上となるように形成することが望ましい。
【００２５】
またこのときのレンズ５０の最厚部の厚みｄはレンズ５０の直径（厚みに対して垂直方向の長さ）をａとして下記の式（２）で示せる。
【００２６】
【数１】
2009158284.tif 000003
【００２７】
ａは概略隔壁８で囲まれた間の長さである。例えば５０型フルＨＤ（画素数1920×1080）のＰＤＰの場合には、ａは約１５０μｍ、５０型ＨＤ（画素数1280×1080）のＰＤＰの場合には、ａは約２５０μｍ、６０型ＨＤ（画素数1280×1080）のＰＤＰの場合には、ａは約３００μｍとなり、Ｒが１ｍｍ以上となるように形成するためには、ｄはそれぞれ２．８μｍ、７．８μｍ、１１μｍ以下となるように作成することが望ましい。
【００２８】
図５において、レンズの特性等について、従来例との比較及び数値例について示している。図５（ａ）は従来構成例の場合、図５（ｂ）は本構成の場合を、対応付けて示している。レンズ以外の要素を同様構成とした場合である。具体的な数値例としては、ｚ方向の厚さにおいて、前面基板構造体（１１）で、前面板（１）がＺ１＝１８００μｍ、誘電体層（３）がＺ２＝２０〜３０μｍ、背面基板構造体（１２）で、背面板５がＺ５＝１８００μｍ、アドレス電極（６）と誘電体層（７）の部分がＺ４＝２０〜３０μｍ、隔壁（８Ｂ）がＺ３＝１３０〜１５０μｍである。図５（ｂ）のレンズ５０の焦点距離ｆや曲率半径Ｒ等は前述の通りである。
【００２９】
（ａ）の従来例では、レンズの焦点（Ｆ：Ｆ１，Ｆ２）は、焦点距離が短いので、パネル内部に存在する。即ち、レンズの一方（平ら側）の焦点（Ｆ１）が前面基板構造体（ガラス基板）内部に位置し、他方（凸側）の焦点（Ｆ２）がセルの放電領域内などに位置している。よって、ｚ方向（パネル正面方向）で、セルの放電領域の蛍光体からの発光は、レンズを通じて、焦点（Ｆ１）に集まり、それよりも前方、ｚ方向に遠くなる観測点では、光が広がってしまい散乱の度合いが大きい。
【００３０】
一方、（ｂ）の本構成では、レンズ５０の焦点（Ｆ：Ｆ１，Ｆ２）は、焦点距離ｆが長い（曲率半径Ｒが大きい）ので、パネル１０の外部に存在する。即ち、レンズ５０の一方（平ら側）の焦点（Ｆ１）が前面基板構造体１１（前面板１）の前方に位置し、他方（凸側）の焦点（Ｆ２）が背面基板構造体１２（背面板５）の後方などに位置している。よって、ｚ方向で、セルの放電領域４１の蛍光体９からの発光は、レンズ５０を通じて、パネル１０前方（正面）の焦点（Ｆ１）へ集まる。即ち、セルの発光に正面方向（視線方向）への指向性を持たせることができ、光があまり広がらず拡散の度合いが小さいので、明るさを高めることができる。
【００３１】
なお、従来例（特許文献１等）では、レンズの焦点は図５（ａ）のようにセル内部の位置と考えられ、この場合、本実施の形態のような効果は得られない。
【００３２】
また、実施の形態１によれば、面放電型のＰＤＰ１０で、本構成のように曲率半径Ｒが大きい（膨らみが小さい）レンズ５０の構造である場合、従来例よりも、維持放電電圧の上昇を抑制できる効果がある。理由は、図５で示したように、本構成では、従来例よりも、レンズ５０の曲率半径Ｒが大きく（凸の頂点高さが小さい）、よって、維持放電電極間の面放電（維持放電）のパスにおいてレンズにより遮られる程度が小さいため、維持放電電圧（放電開始電圧）が低くなる。
【００３３】
実施の形態１により、一効果として、パネル１０の正面方向の輝度が５０％向上できる。この輝度上昇分のうち半分を電力低減にまわす場合、正面の輝度が２５％向上でき、電力を２５％低減できる。上記電力２５％低減により、これまで問題であったパネル放熱量が低減し、薄型ＰＤＰが実現できる。特にフルＨＤパネルのように高精細化でセルが小さくなり、セルの底面積に比べて側面積の割合が大きくなってきた場合には、側面からの発光の割合が大きくなる。このような場合に本構造は特に有効である。
【００３４】
（実施の形態２）
次に、図６〜図７を用いて、実施の形態２（構成１Ｂ）のＰＤＰ１０について説明する。実施の形態２は、実施の形態１（構成１Ａ）の変形例である。実施の形態１と異なる部分のみ説明する。
【００３５】
図６において、本パネル１０の断面（ｙ−ｚ面）を示している。本構成では、第２の誘電体３２によるレンズ５０において、外周部４４は、球面（円）に近い曲率（Ｒ）であり、中心部４３（外周部４４以外）は、外周部４４よりも大きな曲率（Ｒ）を有する球形に近い形状（完全な球形でなくともよい）の構造である。これにより、セルの外周部４２の光を、レンズ５０の外周部４４を利用して、より効率的にパネル１０前方へ集光することができ、これにより正面方向の輝度を高めることができる。
【００３６】
図７において、図６のセル（発光領域）を上側（正面側）から見て概略的に示している。例えば少し縦長形状のセルにおいて、外周部４２、即ちパネル１０正面から見たときの隔壁（８Ａ，８Ｂ）の近傍、特に当該隔壁側面に、蛍光体９の側面部が形成されている。また、外周部４２に、ｘ方向に、維持放電電極２（Ｘ，Ｙ）対（例えば金属バス電極）が配置されている。セル内に、外周部４２に重なって、セルの形状に応じて少し縦長形状のレンズ５０が配置されている。
【００３７】
セルの外周部４２は、維持放電電極２もしくは側壁の蛍光体に近いので、一般に、セル中心部よりも相対的に発光強度が大きく明るい。よって、この外周部４２付近の光を効率的に利用するために、レンズ５０の外周部４４の曲率（Ｒ）を大きくし、レンズ５０の中心部４３では、それよりも曲率（Ｒ）が小さく、なだらかな平面に近い形状としている。
【００３８】
具体的には、レンズ５０の中心部４３の曲率半径Ｒ（球形として近似した場合）が１ｍｍ以上となる。なお、上述した曲率が完全な球形でなくても、それに近い構造でも、効果があることは明白である。また楕円や放物線に近い構造でも、焦点が存在するので、効果があることは明白である。焦点とは、楕円（円も含む）、双曲線、放物線の位置および形を定める要素となる点のことであり、光学系において光軸に平行な入射光線が像（実像または虚像）を結ぶ点のことである。
【００３９】
（実施の形態３）
次に、図８を用いて、本発明の実施の形態３（構成１Ｃ）のＰＤＰ１０について説明する。実施の形態３は、実施の形態１の構成に加えて、図８のように、前面基板構造体１１側に、セル開口部（発光領域）を絞る形で、光吸収層６１と光反射層６２を設けたものである。これにより、パネル１０前方への光の指向性が向上し、外光反射低減による明室コントラスト向上の効果が得られる。
【００４０】
図８において、本パネル１０の断面（ｙ−ｚ面）を示している。前述同様のレンズ５０構造に加え、前面基板構造体１１の第１の誘電体３１において、光吸収層６１と光反射層６２が、セル（放電領域４１）の外周部４２を覆うように形成される。光吸収層６１や光反射層６２の技術自体は公知である。光吸収層６１は、外光反射を抑制する黒帯などである。維持放電電極２は例えば非透過性の金属バス電極である。
【００４１】
本構造では、セル内部（放電領域４１）から横方向（ｘ，ｙ）に放射される光が、光反射層６２を利用してセル内部側に戻され、その戻された光が再び蛍光体９等で反射されて、レンズ５０を経由して、維持放電電極２間の開口部からパネル１０前方へ出る。これにより、セル内部からパネル前方へ、光をなるべく無駄にすることなく、即ち放電効率を低下させずに、光をｚ方向でより真っ直ぐに放出させることができる。即ち、光の指向性が高まり、明るさをより高めることができる。
【００４２】
また、光反射層６２による外光の反射を低減させるために、光反射層６２の前面側に光吸収層６１を設けている。これにより、光反射層６２を設けたことによる明室コントラストの悪化を防止できる。
【００４３】
（実施の形態４）
次に、図９〜図１０を用いて、本発明の実施の形態４のＰＤＰ１０について説明する。
【００４４】
図９において、実施の形態４（構成Ａ）のパネル１０の断面（ｙ−ｚ面）を示している。セルの蛍光体９の形状が半球状（放物面ではない）に形成される。即ちセル内側の蛍光体９の表面の形状が半球面になるように形成される。これによりまず、球状の中心（Ｐ）は、蛍光体９の発光が集まるため、最も明るくなる。そして、その球状の中心（Ｐ）に対し、焦点（Ｆ）が重なるように、レンズ５０（第２の誘電体３２）が形成される。また各部の配置及び形状等が調整される。これにより、上記中心（Ｐ）即ち焦点（Ｆ）に集まる光は、レンズ５０をパネル１０前方へ通過すると平行光になる。これにより、セル内部の発光が効率良く前方へ集光されるので、正面への光の指向性を高め、輝度を高めることができる。
【００４５】
本構成では、例えば、レンズ５０からの焦点距離ｆを１００μｍとし、屈折率ｎが１．６の第２の誘電体３２を使用する。その場合、曲率半径Ｒは６０μｍとすることが望ましい。これによって上記光の指向性を高めることができる。
【００４６】
また図１０において、上記の変形例（構成Ｂ）を示している。このように、セルの隔壁（８Ａ，８Ｂ）で半球面を持つ構成としてもよい。蛍光体９を半球状に形成するために、隔壁８（８Ａ，８Ｂ）の側面を半球状に形成して蛍光体９を均一に形成する。即ち、隔壁８（８Ａ，８Ｂ）側面が半球状であれば、その形状に沿って蛍光体９を所定厚さで一様に形成するようにすれば、結果、蛍光体９の表面も半球状になる。
【００４７】
（実施の形態５）
次に、図１１〜図１２を用いて、本発明の実施の形態５のＰＤＰ１０について説明する。
【００４８】
図１１において、実施の形態５（構成Ａ）のＰＤＰ１０の断面（ｙ−ｚ面）を示している。誘電体層３において、第１の誘電体３１（主にベタ層）と、第１の誘電体３１内部に含まれるように形成される第２の誘電体３２と、を有する。第２の誘電体３２は、複数の同様の特性のレンズ５０を含んでおり、放電空間４０（放電領域４１）側に対しては平らとなる。各レンズ５０は、パネル１０前面側が凸部（曲面）で背面側が平らとなる平凸レンズ状である。セル単位の開口部に対して複数のレンズ５０を含む構造である。複数の各レンズ５０の曲率半径Ｒは、実施の形態１のレンズ５０の曲率半径Ｒよりも小さく、むしろ実施の形態４のレンズ５０の曲率半径Ｒに近いほうが望ましい。
【００４９】
第１の誘電体３１に比べて、第２の誘電体３２（複数のレンズ５０）の屈折率ｎを高くする構成である。このような屈折率の違いと形状により、ａのように、第２の誘電体３２から第１の誘電体３１に入射する斜めの光を、より前方に集光させることができる。このように、セルの蛍光体９からの発光の集光性をより高め、正面の輝度を高めることができる。
【００５０】
また、図１２において、上記の変形例（構成Ｂ）を示している。本構成でも同様にパネル１０前方への光の集光性を持つ。第２の誘電体３２における複数の各レンズ５０の形状としては、直角三角形形状（パネル前方へ凸となる部分が直角となる形状）に近い構造が望ましい。その角度は８０度から１００度程度が望ましい。また各レンズ５０の大きさとしては、図１１に示したレンズ５０の大きさに近いほうが望ましい。
【００５１】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００５２】
本発明は、プラズマディスプレイ装置、薄型プラズマＴＶ、ＰＤＰを用いた画像表示装置などに利用可能である。
【図面の簡単な説明】
【００５３】
【図１】本発明の実施の形態１のＰＤＰの分解斜視構成を示す図である。
【図２】本発明の実施の形態１（構成１Ａ）のＰＤＰにおける断面（ｘ−ｚ）の構成を示す図である。
【図３】本発明の実施の形態１（構成１Ａ）のＰＤＰにおける断面（ｙ−ｚ）の構成を示す図である。
【図４】本発明の実施の形態１（構成１Ａ）のＰＤＰにおけるセル単位のレンズの特性等の構成を示す図である。
【図５】本発明の実施の形態１（構成１Ａ）のＰＤＰにおける断面（ｘ−ｚ）の構成を従来例と比較して示す図であり、（ａ）は従来構成例、（ｂ）は本構成を示す。
【図６】本発明の実施の形態２（構成１Ｂ）のＰＤＰにおける断面（ｙ−ｚ）の構成を示す図である。
【図７】本発明の実施の形態２（構成１Ｂ）のＰＤＰにおけるセル単位の平面（ｘ−ｙ）の構成を示す図である。
【図８】本発明の実施の形態３（構成１Ｃ）のＰＤＰにおける断面（ｙ−ｚ）の構成を示す図である。
【図９】本発明の実施の形態４（構成Ａ）のＰＤＰにおける断面（ｙ−ｚ）の構成を示す図である。
【図１０】本発明の実施の形態４（構成Ｂ）のＰＤＰにおける断面（ｙ−ｚ）の構成を示す図である。
【図１１】本発明の実施の形態５（構成Ａ）のＰＤＰにおける断面（ｙ−ｚ）の構成を示す図である。
【図１２】本発明の実施の形態５（構成Ｂ）のＰＤＰにおける断面（ｙ−ｚ）の構成を示す図である。
【符号の説明】
【００５４】
１…前面板（ガラス基板）、２…維持放電電極、３…誘電体層、４…保護層、５…背面板（ガラス基板）、６…アドレス電極、７…誘電体層、８Ａ，８Ｂ…隔壁、９（９Ｒ，９Ｇ，９Ｂ）…蛍光体、１０…ＰＤＰ、１１…前面基板構造体、１２…背面基板構造体、３１…第１の誘電体、３２…第２の誘電体、４０…放電空間、４１…放電領域、４２…外周部、４３…中心部、４４…外周部、５０…レンズ、６１…光吸収層、６２…光反射層。
【図１】
2009158284.tif 000004
【図２】
2009158284.tif 000005
【図３】
2009158284.tif 000006
【図４】
2009158284.tif 000007
【図５】
2009158284.tif 000008
【図６】
2009158284.tif 000009
【図７】
2009158284.tif 000010
【図８】
2009158284.tif 000011
【図９】
2009158284.tif 000012
【図１０】
2009158284.tif 000013
【図１１】
2009158284.tif 000014
【図１２】
2009158284.tif 000015